(57)【特許請求の範囲】
【請求項１】
被検体内に挿入される挿入部と、
前記挿入部に設けられ、前記被検体の第１の領域から第１の被検体像を取得する第１の被検体像取得部と、
前記挿入部に設けられ、前記第１の領域とは少なくとも一部が異なる前記被検体の第２の領域から第２の被検体像を取得する第２の被検体像取得部と、
前記第１の被検体像から第１の画像を生成し、前記第２の被検体像から第２の画像を生成する画像生成部と、
前記第１の画像と前記第２の画像との大きさに関する設定情報を受けて、前記設定情報に基づき、表示部に表示される前記第１の画像と前記第２の画像との大きさを変更する処理を行う画像処理部と、
前記第１の領域に第１の照明光を照射する第１の照明部と、
前記第２の領域に第２の照明光を照射する第２の照明部と、
前記第１の領域及び前記第２の領域にそれぞれ照射する照明光量の合計を所定量以下に設定するとともに、前記第１の照明光と前記第２の照明光における光量の差を、前記表示部に表示される前記第１の画像と前記第２の画像との大小関係に倣った関係にする照明制御部と、
を具備することを特徴とする内視鏡システム。
【請求項２】
前記照明制御部が、前記第１の照明光と前記第２の照明光における光量の差を、前記第１の画像と前記第２の画像との大小関係に倣った関係にするとは、
前記第１の領域及び前記第２の領域にそれぞれ照射する前記照明光量の合計を所定量以下に設定するとともに、前記第１の領域に基づく前記第１の画像と前記第２の領域に基づく前記第２の画像とのうち、前記表示部に大きく表示される画像が基づく領域には光量を多く照射され、前記表示部に小さく表示される画像が基づく領域には光量を少なく照射されるように、前記第１の照明光と前記第２の照明光とに対する光量の関係を設定することであることを特徴とする請求項１に記載の内視鏡システム。
【請求項３】
前記表示部に表示される前記第１の画像と前記第２の画像との大きさの配分比率を設定する画像配分比率設定部をさらに有し、
前記画像処理部は、前記画像配分比率設定部にて設定された前記配分比率に基づき、前記表示部に表示される前記第１の画像と前記第２の画像との大きさを変更する画像処理を行うことを特徴とする請求項１に記載の内視鏡システム。
【請求項４】
前記画像処理部は、前記第１の被検体像が前記表示部に表示される大きさの配分比率を、０％より大きく１００％以下に設定するとともに、
前記照明制御部は、前記表示部に表示される前記第１の被検体像の大きさの配分比率が１００％の場合、前記第１の領域に対してのみ前記第１の照明部から前記第１の照明光が照射されるよう前記光量の配分比率を変更することを特徴とする請求項３に記載の内視鏡システム。
【請求項５】
前記照明光は、前記被検体に照射される照明光を供給する光源部から前記第１の照明部または前記第２の照明部までライトガイドを介して供給され、
前記照明制御部は、前記光源部から前記ライトガイドに入射される前記照明光の光量を切り替える光量調整フィルタを有していることを特徴とする請求項１に記載の内視鏡システム。
【請求項６】
前記ライトガイドは、該ライトガイドの径方向において前記第１の領域に前記照明光を供給する第１の供給領域と、前記第２の領域に前記照明光を供給する第２の供給領域とに区分されており、
前記光量調整フィルタは、前記照明制御部によって変更された前記照明光の配分比率に応じて前記第１の供給領域及び前記第２の供給領域における所定の範囲を塞ぐことにより、前記第１の供給領域と前記第１の供給領域及び前記第２の供給領域とのいずれか、または前記第１の供給領域と前記第２の供給領域とのいずれかに選択的に前記照明光の光量を配分することを特徴とする請求項５に記載の内視鏡システム。
【請求項７】
前記第１の照明部と前記第２の照明部は、前記照明光を発光させる発光素子から構成されているとともに、前記挿入部に設けられており、
前記照明制御部は、前記発光素子が前記照明光を発光するための動作エネルギー量を調整する電力調整部から構成されていることを特徴とする請求項１に記載の内視鏡システム。
【請求項８】
前記第１の画像と前記第２の画像とを表示する前記表示部は、前記第１の画像の隣に、前記第２の画像を表示することを特徴とする請求項１に記載の内視鏡システム。
【請求項９】
前記第１の画像と前記第２の画像との大きさの配分比率の複数のパターンが記憶された記憶部をさらに具備し、
外部からの指示により前記記憶部から選択された前記パターンに応じて、前記画像配分比率設定部は、表示部に表示される前記第１の画像と前記第２の画像との大きさの配分比率を設定することを特徴とする請求項３に記載の内視鏡システム。
【請求項１０】
前記画像処理部は、前記画像配分比率設定部により前記表示部に前記第１の画像が表示される大きさが０％と設定された場合、前記表示部に警告を表示するとともに、前記第１の画像の大きさを変更しない処理を行うことを特徴とする請求項３に記載の内視鏡システム。
【請求項１１】
前記第１の被検体像は、前記挿入部の長手方向に略平行であって前記挿入部の先端面よりも前方を含む前記第１の領域に位置する被検体像であり、
前記第２の被検体像は、前記挿入部の長手方向に対して交わる方向の前記挿入部の径方向となる周囲方向を含む前記第２の領域に位置する被検体像であり、
前記第１の被検体像取得部は、前記第１の領域における前記前方の前記第１の被検体像を取得する前方被写体像取得部であり、
前記第２の被検体像取得部は、前記第２の領域における前記周囲方向の前記第２の被検体像を取得する周囲方向被写体像取得部であることを特徴とする請求項１に記載の内視鏡システム。
【請求項１２】
前記第１の被検体像取得部は、前記挿入部の前記先端面に設けられ、前記第２の被検体像取得部は、前記挿入部の外周面において、前記挿入部の周方向に沿って設けられ、
前記挿入部に、前記第１の被検体像取得部によって取得された第１の被検体像と、前記第２の被検体像取得部によって取得された前記第２の被検体像とを撮像するとともに、前記画像処理部に電気的に接続された撮像部を有することを特徴とする請求項１１に記載の内視鏡システム。
【請求項１３】
前記第１の画像と前記第２の画像とを表示する前記表示部は、前記第１の被検体像が略円形状に表示され、前記第２の被検体像が、前記第１の被検体像を囲むよう略円環状に表示されるよう表示することを特徴とする請求項１２に記載の内視鏡システム。
【請求項１４】
前記第１の被検体像取得部は、前記挿入部の前記先端面に設けられ、前記第２の被検体像取得部は、前記挿入部の外周面において、前記挿入部の周方向に沿って設けられ、
前記第１の被検体像取得部によって取得された第１の被検体像を撮像する第１の撮像部と、前記第２の被検体像取得部によって取得された第２の被検体像を撮像する第２の撮像部とを別々に有するとともに、
前記第１の撮像部と前記第２の撮像部とが前記画像処理部に電気的に接続されていることを特徴とする請求項１１に記載の内視鏡システム。
【請求項１５】
前記第２の被検体像取得部は、前記挿入部の外周面において前記挿入部の周方向に沿って略均等な角度で複数配置されており、
前記画像処理部は、前記表示部において前記第１の被検体像が中心に配置され、前記第２の被検体像が前記第１の被検体像を囲むよう周方向に略均等な角度で複数配置されるよう前記表示部に表示させることを特徴とする請求項１４に記載の内視鏡システム。
【請求項１６】
前記画像処理部は、前記第１の画像と前記第２の画像とに対して、個々に明るさのゲイン調整をさらに行うことを特徴とする請求項１に記載の内視鏡システム。
【発明の詳細な説明】
【技術分野】
【０００１】
本発明は、第１の方向から第１の被検体像を取得する第１の被検体像取得部と、第２の方向から第２の被検体像を取得する第２の被検体像取得部とを具備する内視鏡システムに関する。
【背景技術】
【０００２】
近年、内視鏡は、医療分野及び工業用分野において広く利用されている。内視鏡は、細長い挿入部を被検体内に挿入することによって被検体内を観察することができる。【０００３】
尚、内視鏡としては、挿入部の先端側に設けられた先端部の先端面に、観察用レンズや照明用レンズが設けられた既知の直視型の内視鏡や、挿入部の先端部の外周面の一部に、観察用レンズや照明用レンズが設けられた既知の側視型の内視鏡が周知である。【０００４】
また、近年、被検体内の観察範囲を広げるため、挿入部の長手方向に沿った第１の方向における挿入部の先端面よりも前方の視野のみならず、第１の方向に略直交するとともに先端部の径方向となる第２の方向において、先端部の外周面の周囲に位置する周囲方向視野までも同時に観察することができる内視鏡を具備する内視鏡システムも周知であり、日本国特許第４７８２９００号公報、米国特許出願公開２０１３／０１０９９１６号公報に開示されている。【０００５】
日本国特許第４７８２９００号公報に開示された内視鏡システムにおいては、内視鏡の挿入部の先端部の先端面から前方に突出する円筒部を有し、該円筒部内において円筒部の先端面に臨むように、前方を観察する第１の被検体像取得部である前方観察用レンズが設けられている。また、円筒部内において、前方観察用レンズの後方に、円筒部の外周面に沿って第２の被検体像取得部である周囲観察用レンズが周状に設けられている。【０００６】
また、先端部内には、周囲方向観察用レンズよりも後方にレンズ群が位置しており、該レンズ群の集光位置に、ＣＣＤ等の撮像部が位置している。【０００７】
先端面よりも前方に位置する第１の被検体は、前方観察用レンズによって第１の被検体像として取得され、前方観察用レンズに入光された光が周囲観察用レンズを通過して、後方レンズ群により撮像部に結像される構成となっている。【０００８】
また、円筒部の周囲方向に位置する第２の被検体は、周囲観察用レンズによって第２の被検体像として取得され、周囲観察用レンズに入光された光は、該レンズ内において複数回反射された後、後方レンズ群により撮像部に結像される構成となっている。【０００９】
尚、表示部には、第１の被検体像が略円形に表示され、第２の被検体像が第１の被検体像の外周を囲むよう略円環状に表示される。【００１０】
このことにより、操作者は、表示部から挿入部の先端部よりも前方の視野のみならず、先端部の周囲方向の視野までも同時に観察することができる。即ち、被検体内の広範囲の観察を行うことができる。【００１１】
さらに、先端部の先端面及び該先端面から前方に突出する支持部には、それぞれ前方に位置する第１の被検体を照明する第１の照明用レンズが設けられており、また、円筒部の外周面にも、周囲方向に位置する第２の被検体を照明する第２の照明用レンズが設けられている。【００１２】
また、第１の照明用レンズ及び第２の照明用レンズには、挿入部内に挿通されたライトガイドを介して、それぞれ光源から照明光が供給される構成となっている。【００１３】
また、米国特許出願公開２０１３／０１０９９１６号公報に開示された内視鏡システムにおいては、内視鏡の挿入部の先端部の先端面に臨むように、前方を観察する第１の被検体像取得部である前方観察用レンズが設けられ、先端部の外周面において、第２の被検体像取得部である周囲観察用レンズが２つ設けられている。【００１４】
先端面よりも前方に位置する第１の被検体は、前方観察用レンズによって第１の被検体像として取得され、先端部内に設けられた、ＣＣＤ等の第１の撮像部により撮像され、先端部の周囲方向に位置する第２の被検体は、各周囲観察用レンズによって第２の被検体像としてそれぞれ取得され、先端部内にそれぞれ設けられたＣＣＤ等の第２の撮像部により撮像される構成となっている。【００１５】
尚、表示部には、第１の被検体像の両脇に、第２の被検体像が表示される。このことにより、操作者は、表示部から挿入部の先端部よりも前方の視野のみならず、先端部の周囲方向の視野までも同時に観察することができる。【００１６】
さらに、先端部の先端面には、前方に位置する第１の被検体を照明するＬＥＤ等の前方観察用の発光素子が設けられており、また、先端部の外周面にも、周囲方向に位置する第２の被検体を照明するＬＥＤ等の周囲観察用の発光素子が設けられている。【００１７】
ところで、被検体内における広範囲に渡る第１の被検体及び第２の被検体の観察性を向上させるため、日本国特許第４７８２９００号公報においては、第１の照明用レンズ及び第２の照明用レンズから、米国特許出願公開２０１３／０１０９９１６号公報においては、前方観察用及び周囲観察用の発光素子から最大光量の照明光を被検体内に供給するのが一般的である。尚、日本国特許第４７８２９００号公報には、光源からライトガイドに供給する光量を調整する絞り羽根が設けられた構成が開示されている。【００１８】
ここで、注目したい部分に必要な視野を十分確保するため、第１の被検体像と第２の被検体像との表示比率を変えることを考えた場合、第１の被検体及び第２の被検体に最大光量にて照明光を供給すると、表示比率があまり大きくない視野に最大光量で照明光が供給されることになって照明光が無駄であるうえ、照明光のエネルギーで先端部内が早く加熱されてしまう懸念があることから、先端部に設けられた部品に不具合が発生しないよう工夫する必要があった。【００１９】
尚、以上のことは、上述した絞り羽根を用いた場合でも同じであり、通常、第１の照明用レンズ供給用のライトガイドと、第２の照明用レンズ供給用のライトガイドとは、光源側において１本から分岐しているため、例えば、前方の視野のみを表示させたい場合、前方に最大光量にて照明光を供給する必要があるため、絞り羽根を用いて供給光量を絞る等して調整することができないといった問題があった。【００２０】
本発明は、上記事情及び問題点に鑑みなされたものであり、挿入部の先端部の前方に位置する第１の被検体と先端部の周囲方向に位置する第２の被検体とへ適切な光量の照明光を供給できることにより、先端部内の過熱を防止できる構成を具備する内視鏡システムを提供することを目的とする。
【発明の開示】
【課題を解決するための手段】
【００２１】
本発明の一態様による内視鏡システムは、被検体内に挿入される挿入部と、前記挿入部に設けられ、前記被検体の第１の領域から第１の被検体像を取得する第１の被検体像取得部と、前記挿入部に設けられ、前記第１の領域とは少なくとも一部が異なる前記被検体の第２の領域から第２の被検体像を取得する第２の被検体像取得部と、前記第１の被検体像から第１の画像を生成し、前記第２の被検体像から第２の画像を生成する画像生成部と、前記第１の画像と前記第２の画像との大きさに関する設定情報を受けて、前記設定情報に基づき、表示部に表示される前記第１の画像と前記第２の画像との大きさを変更する処理を行う画像処理部と、前記第１の領域に第１の照明光を照射する第１の照明部と、前記第２の領域に第２の照明光を照射する第２の照明部と、前記第１の領域及び前記第２の領域にそれぞれ照射する照明光量の合計を所定量以下に設定するとともに、前記第１の照明光と前記第２の照明光における光量の差を、前記表示部に表示される前記第１の画像と前記第２の画像との大小関係に倣った関係にする照明制御部と、を具備する。
【図面の簡単な説明】
【００２２】
【図１】第１実施の形態を示す内視鏡と周辺装置とから構成された内視鏡装置の一例を概略的に示す斜視図
【図２】図１の先端部を拡大して示す斜視図
【図３】図２の先端部を図２中のIII方向からみた平面図
【図４】図２の先端部、円筒部、支持部内の構成を、ライトガイド、光量調整フィルタ、光源とともに概略的に示す図
【図５】図１のモニタに第１の画像及び第２の画像が表示された状態を示す図
【図６】図１のモニタに表示される第１の画像と第２の画像との大きさを変える構成、及び第１の照明用レンズと第２の照明用レンズとからそれぞれ供給される照明光における光量の差を、表示部に表示される第１の画像と第２の画像との大小関係に倣った関係に変える構成を、内視鏡、ビデオプロセッサ、光源装置、モニタとともに概略的に示す図
【図７】図６の記憶部内に設けられた第１の画像と第２の画像との大きさの配分比率の複数のパターンを示す図表
【図８】図６のモード検出部、比率設定部、画像処理部、フィルタ駆動部の作用をそれぞれ図にて示す図表
【図９】図１のモード切り替えスイッチをスライダ機構から構成した変形例を示す図
【図１０】図１のモード切り替えスイッチをタッチパッド機構から構成した変形例を示す図
【図１１】図４のフィルタの変形例を、ライトガイドの基端とともに示す図
【図１２】第２実施の形態における内視鏡システムにおける内視鏡の挿入部の先端部の部分斜視図
【図１３】第２実施の形態の内視鏡システムのモニタに第１の画像及び第２の画像が表示された状態を示す図
【図１４】図１のモニタに表示される第１の画像と第２の画像との大きさを変える構成、及び第１の照明用レンズと第２の照明用レンズとからそれぞれ供給される照明光における光量の差を、表示部に表示される第１の画像と第２の画像との大小関係に倣った関係に変える構成を、内視鏡、ビデオプロセッサ、光源装置、モニタとともに概略的に示す図
【図１５】図１４の比率設定部、画像処理部、電力調整部の作用をそれぞれ図にて示す図表
【図１６】図１４のキーボードをスライダ機構から構成した変形例を示す図
【図１７】図１２の挿入部の先端部の先端面に設けられる第１の発光素子の個数、挿入部の先端部の外周面に設けられる第２の発光素子の個数を図１２よりも増やした変形例を示す先端部の部分斜視図
【図１８】内視鏡の挿入部に画像取得ユニットが着脱自在な変形例を概略的に示す斜視図である。
【図１９】図１３のモニタに表示される第１の画像の一部に対し、第２の画像の一部を重ねて表示する変形例を示す図
【図２０】複数のモニタにそれぞれ１つずつ画像を表示させる変形例を示す図
【発明を実施するための最良の形態】
【００２３】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２４】
（第１実施の形態）
図１は、本実施の形態を示す内視鏡と周辺装置とから構成された内視鏡装置の一例を概略的に示す斜視図である。【００２５】
図１に示すように、内視鏡システム１は、内視鏡２と周辺装置１００とにより構成されている。【００２６】
内視鏡２は、被検体内に挿入される挿入部４と、該挿入部４の長手方向Ｎの基端（以下、単に基端と称す）に連設された操作部３と、該操作部３から延出されたユニバーサルコード５と、該ユニバーサルコード５の延出端に設けられたコネクタ３２とを具備して主要部が構成されている。【００２７】
周辺装置１００は、架台３０に載置された、キーボード３１と、光源装置３３と、ビデオプロセッサ３４と、光源装置３３とビデオプロセッサ３４とを電気的に接続する接続ケーブル３５と、表示部であるモニタ３６とを具備している。【００２８】
また、このような構成を有する内視鏡２と周辺装置１００とは、コネクタ３２により互いに接続されている。【００２９】
コネクタ３２は、例えば周辺装置１００の光源装置３３に接続されている。コネクタ３２に、挿入部４、操作部３、ユニバーサルコード５内に設けられた処置具挿通用チャンネル１７（図３参照）の基端が接続された図示しない口金と、挿入部４、操作部３、ユニバーサルコード５内に挿通された後述するライトガイド５０（図４参照）の基端を構成する図示しないライトガイド口金や、電気接点部等が設けられている。【００３０】
内視鏡２の操作部３に、湾曲操作ノブ９と、モード切り替えスイッチ１０とが設けられている。【００３１】
内視鏡２の挿入部４は、該挿入部４の長手方向Ｎの先端側（以下、単に先端側と称す）に位置する先端部６と、該先端部６の基端に連設された湾曲部７と、該湾曲部７の基端に連設された可撓管部８とにより構成されている。【００３２】
湾曲部７は、操作部３に設けられた湾曲操作ノブ９により、例えば上下左右の４方向に湾曲操作されるものである。【００３３】
次に、先端部６の構成について、図２〜図５を用いて説明する。図２は、図１の先端部を拡大して示す斜視図、図３は、図２の先端部を図２中のIII方向からみた平面図、図４は、図２の先端部、円筒部、支持部内の構成を、ライトガイド、光量調整フィルタ、光源とともに概略的に示す図、図５は、図１のモニタに第１の画像及び第２の画像が表示された状態を示す図である。【００３４】
図２に示すように、先端部６の先端面６ｓに、先端面６ｓの中央よりも径方向Ｋに偏心した位置から長手方向Ｎの前方（以下、単に前方と称す）に突出する円筒部１１が設けられている。【００３５】
また、図２〜図４に示すように、円筒部１１内に、長手方向Ｎと略平行な第１の方向つまり被検体の第１の領域から第１の被検体像を取得する第１の被検体像取得部である前方観察用レンズ１２が、円筒部１１の先端面１１ｓに露出するよう設けられている。【００３６】
尚、第１の被検体像は、先端面１１ｓよりも前方を含む長手方向Ｎに位置する第１の被検体の被検体像である。よって、前方観察用レンズ１２は、長手方向Ｎの前方の第１の被検体像を取得する前方被写体像取得部を構成している。【００３７】
また、図２に示すように、円筒部１１内に、該円筒部１１の外周面１１ｇに沿って周状に露出されるとともに、長手方向Ｎの前方（第１の領域）とは少なくとも一部が異なる第２の方向つまり被検体の第２の領域である周囲方向から第２の被検体像を取得する第２の被検体像取得部である周囲観察用レンズ１３が設けられている。【００３８】
尚、円筒部１１内においては、図４に示すように、周囲観察用レンズ１３は、前方観察用レンズ１２よりも長手方向Ｎの後方（以下、単に後方と称す）に位置している。【００３９】
また、第２の被検体像は、長手方向Ｎと略直交等、長手方向Nに対して交わる方向である径方向Ｋとなる、長手方向Ｎの周囲方向に位置する第２の被検体の被検体像である。よって、周囲観察用レンズ１３は、周囲方向の第２の被検体像を取得する周囲方向被写体像取得部を構成している。尚、以下、周囲方向にも符号Ｋを付す。【００４０】
また、円筒部１１内においては、図４に示すように、周囲観察用レンズ１３よりも後方に複数のレンズから構成された後方レンズ群４０が設けられており、該後方レンズ群４０の結像位置に、ＣＣＤ等の撮像部４１が設けられている。【００４１】
撮像部４１は、前方観察用レンズ１２によって取得された第１の被検体像と、周囲観察用レンズ１３によって取得された第２の被検体像とを撮像する。【００４２】
尚、撮像部４１への前方観察用レンズ１２、周囲観察用レンズ１３、後方レンズ群４０を介した第１の被検体の入光構成や、周囲観察用レンズ１３、後方レンズ群４０を介した第２の被検体の入光構成は周知であるため、その詳しい説明は省略する。【００４３】
また、撮像部４１は、後述する画像生成部６０、画像処理部６４（図６参照）に電気的に接続されている。【００４４】
撮像部４１によって撮像された第１の被検体像、第２の被検体像は、画像生成部６０によって第１の被検体像から第１の画像８１を、第２の被検体像から第２の画像８２を生成される。【００４５】
第１の画像８１と第２の画像８２は、画像処理部６４によって画像処理され、後述する画像出力部６６（図６参照）により表示画像信号が生成されモニタ３６に出力された後、図５に示すように、第１の被検体像に基づく第１の画像８１は、モニタ３６の中央に略円形に表示され、第２の被検体像に基づく第２の画像８２は、第１の画像８１の外周を囲むように略円環状に表示される。【００４６】
また、図２、図３に示すように、円筒部１１の外周面１１ｇにおいて、周囲観察用レンズ１３よりも後方に、周囲方向Ｋに照明光を供給する照明光供給部である第２の照明用レンズ（第２の照明部）２４、２５が、図３に示すように、例えば周方向Ｃに略１８０°ずれて２つ設けられている。尚、第２の照明用レンズの個数は、２つに限定されず、３つ以上であっても、周方向Ｃに延出した曲面の照明用レンズが例えば１つ設けられていてもよい。【００４７】
図４に示すように、挿入部４、操作部３、ユニバーサルコード５、コネクタ３２内に挿通されたライトガイド５０は、径方向Ｋにおいて、第１の方向に照明光を供給する第１の供給領域５０ｆと、第２の方向に照明光を供給する第２の供給領域５０ｒとに区分されている。【００４８】
第１の供給領域５０ｆは、ライトガイド５０の長手方向の中途位置において、ライトガイド５０ａ、５０ｄとして分岐し、第２の供給領域５０ｒは、ライトガイド５０の長手方向の中途位置において、ライトガイド５０ｂ、５０ｃとして分岐している。【００４９】
尚、図４に示すように、第２の照明用レンズ２４、２５（第２の照明用レンズ２５は、図４では図示されず）の基端には、ライトガイド５０ｂ、５０ｃの長手方向Ｎの先端（以下、単に先端と称す）が近接して位置している。【００５０】
よって、被検体に照射される照明光を供給する光源部６９からライトガイド５０の基端５０ｋを介して第２の供給領域５０ｒに供給された照明光は、第２の照明用レンズ２４、２５までライトガイド５０、５０ｂ、５０ｃを介して供給され、第２の照明用レンズ２４、２５を介して周囲方向Ｋに照射される。【００５１】
尚、ライトガイド５０、５０ｂ、５０ｃを介した基端５０ｋから第２の照明用レンズ２４、２５までの照明光の光量及び熱量は、ライトガイド５０、５０ｂ、５０ｃを構成するファイバの本数により異なる。【００５２】
また、図２、図３に示すように、先端部６の先端面６ｓに、円筒部１１に隣接して前方に突出する支持部１８が設けられている。【００５３】
支持部１８の先端面１８ｓに、前方観察用レンズ１２に向けて流体を供給する直視観察窓用ノズル部１９が設けられている。【００５４】
また、先端面１８ｓに、該先端面１８ｓよりも前方に照明光を供給する照明光供給部である第１の照明用レンズ（第１の照明部）１５が設けられている。【００５５】
また、支持部１８の外周面１８ｇに、周囲方向観察用レンズ１３に向けて流体を供給する周囲観察窓用ノズル２２が、例えば２つ設けられている。尚、周囲観察窓用ノズル２２の個数は、２つに限定されない。【００５６】
さらに、先端部６の先端面６ｓに、処置具挿通用チャンネル１７の先端が開口されている。【００５７】
また、先端面６ｓに、該先端面６ｓよりも前方に照明光を供給する照明光供給部である第１の照明用レンズ（第１の照明部）１６が設けられていてもよい。【００５８】
尚、図４に示すように、第１の照明用レンズ１５、１６（第１の照明用レンズ１６は、図４では図示されず）の基端には、ライトガイド５０ａ、５０ｄの先端が近接して位置している。【００５９】
よって、光源部６９からライトガイド５０の基端５０ｋを介して第１の供給領域５０ｆに供給された照明光は、第１の照明用レンズ１５、１６までライトガイド５０、５０ａ、５０ｄを介して供給され、第１の照明用レンズ１５、１６を介して前方に照射される。【００６０】
尚、ライトガイド５０、５０ａ、５０ｄを介した基端５０ｋから第１の照明用レンズ１５、１６までの照明光の光量及び熱量は、ライトガイド５０、５０ａ、５０ｄを構成するファイバの本数により異なる。【００６１】
また、図４に示すように、ライトガイド５０の基端５０ｋと、光源部６９との間に、光源部６９からライトガイド５０の基端５０ｋに入射される照明光の光量を切り替える光量調整フィルタ５５が、光源部６９及び基端５０ｋと同軸上に設けられている。【００６２】
尚、光量調整フィルタ５５の詳しい構成は後述する。また、図示しないが、光量調整フィルタ５５と、ライトガイド５０の基端５０ｋとの間に、既知の絞り羽根が設けられている。【００６３】
次に、図１のモニタ３６に表示される第１の画像８１と第２の画像８２との大きさの配分比率を変える構成、及び第１の照明用レンズ１５、１６と第２の照明用レンズ２４、２５とから供給される照明光の配分比率を変える構成を、図６〜図８を用いて示す。【００６４】
図６は、図１のモニタに表示される第１の画像と第２の画像との大きさを変える構成、及び第１の照明用レンズと第２の照明用レンズとからそれぞれ供給される照明光における光量の差を、表示部に表示される第１の画像と第２の画像との大小関係に倣った関係に変える構成を、内視鏡、ビデオプロセッサ、光源装置、モニタとともに概略的に示す図である。【００６５】
また、図７は、図６の記憶部内に設けられた第１の画像と第２の画像との大きさの配分比率の複数のパターンを示す図表、図８は、図６のモード検出部、比率設定部、画像処理部、フィルタ駆動部の作用をそれぞれ図にて示す図表である。【００６６】
図６に示すように、ビデオプロセッサ３４内には、モード検出部６１と、記憶部６２と、画像生成部６０と、画像配分比率設定部（以下、単に比率設定部と称す）６３と、画像処理部６４と、画像出力部６６と、警告部６８とが設けられている。【００６７】
また、光源装置３３内には、光量調整フィルタ（以下、単にフィルタと称す）５５と、照明光量調整部（照明制御部）であるフィルタ駆動部６５と、エンコーダ６７とが設けられている。【００６８】
図６に示すように、モード検出部６１は、図１に示すモード切り替えスイッチ１０の押下操作に伴い、図７に示すように、記憶部６２内に記憶された複数のモードパターン、例えば３つのモードパターンα、β、γのいずれかが選択されたかを検出する。【００６９】
尚、モード切り替えスイッチ１０が１回押下される前に、モードパターンは、図７、図８に示すように、モードパターンαからモードパターンβに、モードパターンβからモードパターンγに、モードパターンγからモードパターンαに切り替わる。【００７０】
このモードの切り替わりを、モード検出部６１は検出する。また、モード切り替えスイッチ１０は、３つのモードが個別に選択できるよう、操作部３に３つ別々に設けられていても構わない。さらには、モード切り替えスイッチ１０は、ビデオプロセッサ３４に設けられていても構わない。【００７１】
また、記憶部６２に記憶されたモードパターンα、β、γは、モニタ３６に表示される第１の画像８１と第２の画像８２との大きさの配分比率を示している。【００７２】
尚、一例として、図７に示すように、本実施の形態においては、モードパターンαは、第１の画像（前方画像）：第２の画像（周囲方向画像）の配分比率が、５０％：５０％に設定され、モードパターンβは、第１の画像８１：第２の画像８２の配分比率が、７０％：３０％に設定され、モードパターンγは、第１の画像８２：第２の画像８２の配分比率が、１００％：０％に設定されている。【００７３】
モードパターンαは、例えば被検体内における観察に用いられ、モードパターンβは、例えば前方視野を十分確保して行う被検体内に挿入に用いられ、モードパターンγは、例えば挿入部４の前方に位置する第１の被検体の処置に用いられる。尚、第１の被検体の処置では、周囲方向視野が不要となるため、第２の画像８２の配分比率が０％となる。【００７４】
尚、記憶部６２に記憶されるモードパターンは、３つに限定されない。また、モードパターンα、β、γの配分比率は、上述の例に限定されず、操作者の好みに応じて設定されていても構わない。【００７５】
さらに、モードパターンとして、第１の画像８１：第２の画像８２の配分比率が、０％：１００％は、除外する。これは、被検体内に挿入部４を挿入して行う挿入作業、観察作業、処置においては、前方視野無しで行うことは無いためである。【００７６】
比率設定部６３は、モード検出部６１の検出結果を受け、モニタ３６に表示される第１の画像８１と第２の画像８２との大きさの配分比率を設定する。【００７７】
具体的には、比率設定部６３は、図８に示すように、モード検出部６１の検出結果を受け、記憶部６２に記憶された、モードパターンα、β、γから選択されたパターンに応じて、モニタ３６に表示される第１の画像８１と第２の画像８２との大きさの配分比率を設定する。【００７８】
尚、比率設定部６３は、モード検出部６１の検出結果を受け、第１の画像８１がモニタ３６に表示される大きさの配分比率を、０％より大きく１００％以下に設定する。【００７９】
画像生成部６０は、撮像部４１によって撮像された第１の被検体像から第１の画像信号（第１の画像）８１を生成し、第２の被検体像から第２の画像信号（第２の画像）８２を生成するとともに、画像処理部６４は、図８に示すように、比率設定部６３にて設定された配分比率に基づき、モニタ３６に表示される第１の画像８１と第２の画像８２との大きさを変更する、即ちそれぞれ拡大、縮小処理をする画像処理を行う。【００８０】
具体的には、モードパターンαが選択されている場合は、画像処理部６４は、第１の画像８１と第２の画像８２とがモニタ３６に５０％：５０％にて表示されるよう大きさを変更する画像処理を行う。【００８１】
また、モードパターンβが選択されている場合は、画像処理部６４は、第１の画像８１と第２の画像８２とがモニタ３６に７０％：３０％にて表示されるよう大きさを変更する画像処理を行う。【００８２】
さらに、モードパターンγが選択されている場合は、画像処理部６４は、第１の画像８１と第２の画像８２とがモニタ３６に１００％：０％にて表示される（つまりモニタ３６には第１の画像８１のみ表示される）よう大きさを変更する画像処理を行う。【００８３】
尚、画像処理部６４は、比率設定部６３により、仮にモニタ３６に第１の画像８１が表示される大きさが０％と設定された場合は、警告部６８を駆動してモニタ３６に警告を表示する。【００８４】
尚、警告は音であっても構わない。さらに、画像処理部６４は、この場合、モニタ３６に表示される第１の画像８１の大きさを変更する画像処理を行わない。【００８５】
画像出力部６６は、画像処理部６４により画像処理が行われた第１の画像信号と、第１の画像信号及び第２の画像信号とのいずれかから、モニタ３６に表示させる表示画像信号を生成し、モニタ３６に出力する。【００８６】
フィルタ駆動部６５は、モニタ３６に表示される第１の画像８１と第２の画像８２との大きさの大小関係つまり本実施形態では配分比率に応じて、光源装置３３の光源部６９から供給される照明光に対して、前方及び周囲方向Ｋに照射される照明光量の差を、表示部に表示される第１の画像８１と第２の画像８２との大小関係に倣った関係に設定する。本実施形態では、光源装置３３の光源部６９から供給される照明光に対して、前方及び周囲方向Ｋに照射される照明光量の配分比率を変更する。【００８７】
具体的には、フィルタ駆動部６５は、図４に示したフィルタ５５を具備している。フィルタ５５は、フィルタ駆動部６５によって変更された照明光量の配分比率に応じて、ライトガイド５０の第１の供給領域５０ｆと第１の供給領域５０ｆ及び第２の供給領域５０ｒとのいずれか、または第１の供給領域５０ｆと第２の供給領域５０ｒとのいずれかに選択的に照明光の光量を配分する。【００８８】
具体的には、フィルタ５５は、図４に示すように、略円形から構成されており、略円形の半分にマスク５５ｂが設けられた構成を有している。即ち、マスク５５ｂは略半円状を有している。【００８９】
フィルタ５５は、フィルタ駆動部６５の駆動制御により回動自在となっており、フィルタ５５の回動角度θは、エンコーダ６７により検出される。尚、回動角度θは、第１の画像８１の配分比率がＸ％の際、θ＝１８０×Ｘ／１００にて規定される。【００９０】
マスク５５ｂは、図８に示すように、少なくともライトガイド５０の第２の供給領域５０ｒ全体を覆うことのできる大きさを有している。【００９１】
よって、図８に示すように、フィルタ駆動部６５は、モードパターンαが検出されている場合は、光源部６９から、ライトガイド５０の基端５０ｋを介して、第１の供給領域５０ｆ：第２の供給領域５０ｒに、光量が５０％：５０％との配分比率にて照明光が入射されるよう各領域５０ｆ、５０ｒの所定の範囲をマスク５５ｂが覆うフィルタ５５の図８のモードパターンαに示す回動位置へとフィルタ５５を回動させる。【００９２】
また、フィルタ駆動部６５は、モードパターンβが検出されている場合は、光源部６９から、ライトガイド５０の基端５０ｋを介して、第１の供給領域５０ｆ：第２の供給領域５０ｒに、光量が７０％：３０％との配分比率にて照明光が入射されるよう各領域５０ｆ、５０ｒの所定の範囲をマスク５５ｂが覆うフィルタ５５の図８のモードパターンβに示す回動位置へとフィルタ５５を回動させる。【００９３】
さらに、フィルタ駆動部６５は、モニタ３６に表示される第１の画像８１の大きさの配分比率が１００％の場合、即ち、モードパターンγが検出されている場合は、光源部６９から、ライトガイド５０の基端５０ｋを介して、第１の供給領域５０ｆ：第２の供給領域５０ｒに、光量が１００％：０％との配分比率にて照明光が入射されるよう、即ち、前方にのみ照明光が供給されるよう領域５０ｒのみをマスク５５ｂが覆うフィルタ５５の図８のモードパターンγに示す回動位置へとフィルタ５５を回動させる。【００９４】
その結果、フィルタ駆動部６５によって光量の配分比率が変更された照明光が、第１の照明用レンズ１５、１６と、第１の照明用レンズ１５、１６及び第２の照明用レンズ２４、２５とのいずれかにライトガイド５０を介して供給され、被検体内に照射される。【００９５】
このように、本実施の形態においては、モニタ３６に表示される第１の画像８１と第２の画像８２との大きさの配分比率に応じて、第１の照明用レンズ１５、１６から前方に照射される照明光と、第２の照明用レンズ２４、２５から周囲方向Ｋに照射される照明光との配分比率が変更されると示した。【００９６】
また、第１の照明用レンズ１５、１６から前方に照射される照明光と、第２の照明用レンズ２４、２５から周囲方向Ｋに照射される照明光との光量の配分比率の変更は、フィルタ５５を回動させることにより行うと示した。【００９７】
このことによれば、フィルタ５５を回動させ、モニタ３６に表示される第１の画像８１と第２の画像８２との大きさの配分比率に応じて、ライトガイド５０の第１の供給領域５０ｆ及び第２の供給領域５０ｒに対してマスク５５ｂによって覆われる範囲を変えるのみで、前方と周囲方向Ｋに照射する照明光の配分比率を、モニタ３６における表示比率に合わせることができる。【００９８】
このことにより、モニタ３６に対する第１の画像８１と第２の画像８２との大きさの配分比率に合った照明光の配分比率にて前方及び周囲方向Ｋに照明光を供給できることから、従来のように、常時最大発光量にて前方及び周囲方向Ｋに照明光を供給することが無いため、先端部６内が過度に熱されてしまうことを防止することができる。【００９９】
以上から、挿入部４の先端部６の前方に位置する第１の被検体と先端部６の周囲方向Ｋに位置する第２の被検体とへ適切な光量の照明光を供給できることにより、先端部６内の過熱を防止できる構成を具備する内視鏡システム１を提供することができる。【０１００】
尚、以下、変形例を示す。【０１０１】
上述した、本実施の形態においては、モニタ３６に表示される第１の画像８１と第２の画像８２との大きさの配分比率に応じて、第１の照明用レンズ１５、１６から前方に照射される照明光と、第２の照明用レンズ２４、２５から周囲方向Ｋに照射される照明光との配分比率が変更されると示した。【０１０２】
しかしながら、この構成では、前方及び周囲方向Ｋに照射される照明光の光量が足りない場合が考えられる。例えば、従来のように、前方及び周囲方向Ｋに、１００％：１００％にて照明光を供給することができない。【０１０３】
この場合、明るさを補うため、画像処理部６４が、生成した第１の画像信号（第１の画像８１）及び第２の画像信号（第２の画像８２）に対して、個々に明るさのゲイン調整を行っても構わないことは勿論である。【０１０４】
また、以下、別の変形例を、図９を用いて示す。図９は、図１のモード切り替えスイッチをスライダ機構から構成した変形例を示す図である。【０１０５】
上述した本実施の形態においては、操作部３に設けられたモード切り替えスイッチ１０を押下する毎に、モード検出部６１が、記憶部６２に記憶されている３つのモードの内、いずれかのモードパターンが選択されたのかを検出し、比率設定部６３は、検出されたモードパターンに応じて、モニタ３６に表示される第１の画像８１と第２の画像８２との大きさの配分比率を設定すると示した。【０１０６】
これに限らず、モード切り替えスイッチ１０は、操作部３以外に設けられていても良く、例えば、ビデオプロセッサ３４に設けられたスライダ８６とスライダ溝８７とを具備するスライダ機構から構成されていても構わない。【０１０７】
このことによれば、操作者は、スライダ８６をスライダ溝８７に対してスライド移動させるのみにより、モニタ３６に表示される第１の画像８１と第２の画像８２との大きさの配分比率を任意に設定することができる。【０１０８】
この際、モード検出部６１は、スライダ８６の位置を検出し、比率設定部６３は、スライダ８６の位置検出結果に応じて、モニタ３６に表示される第１の画像８１と第２の画像８２との大きさの配分比率を設定すれば良い。【０１０９】
尚、大きさの配分比率を任意に設定した場合には、上述したようにフィルタ５５の回動角度θは、第１の画像８１の配分比率がＸ％の際、θ＝１８０×Ｘ／１００にて規定されることから、フィルタ駆動部６５は、この計算式から、フィルタ５５を設定された回動角度θまで回動させる。【０１１０】
また、以下、別の変形例を、図１０を用いて示す。図１０は、図１のモード切り替えスイッチをタッチパッド機構から構成した変形例を示す図である。【０１１１】
さらに、図１０に示すように、モード切り替えスイッチ１０は、モニタ３６に設けられたタッチパッド機構であっても構わない。【０１１２】
このことによれば、操作者は、指Ｈにて、モニタ３６に表示されている第１の画像８１の大きさを、タッチパッド機構を用いて可変するのみにより、モニタ３６に表示される第１の画像８１と第２の画像８２との大きさの配分比率を任意に設定することができる。【０１１３】
この際、モード検出部６１は、モニタ３６上の第１の画像８１の大きさを検出し、比率設定部６３は、第１の画像８１の大きさの検出結果に応じて、モニタ３６に表示される第１の画像８１と第２の画像８２との大きさの配分比率を設定すれば良い。【０１１４】
尚、タッチパッド機構は、モニタ３６とは別のモニタに設けられていても構わないし、モード切り替えスイッチは、上記に限定されず、キーボード３１が兼ねていても構わないし、マウス等を用いた他の入力手段であっても構わない。【０１１５】
さらに、以下、別の変形例を、図１１を用いて示す。図１１は、図４のフィルタの変形例を、ライトガイドの基端とともに示す図である。【０１１６】
上述した本実施の形態においては、フィルタ５５は、略円形を有しているとともに略半円状のマスク５５ｂを有し、回動自在であると示した。【０１１７】
これに限らず、フィルタ５５は、図１１に示すように、ライトガイド５０の基端５０ｋを覆う大きさの矩形状から形成されるとともに、フィルタ５５を均等に４分割した４つの領域５５ｗ、５５ｘ、５５ｙ、５５ｚにおいて、対角線上に位置する領域５５ｗ、５５ｚにのみマスク５５ｂが形成された図１１の上下方向にスライド移動自在な構成を有していても構わない。尚、マスク５５ｂは、対角線上に位置する領域５５ｘ、５５ｙのみに形成されていても構わない。【０１１８】
このようなフィルタ５５においては、図１１に示すようにライトガイド５０の第１の供給領域５０ｆと第２の供給領域５０ｒとの堺を基準として図１１中の左側に領域５５ｗ、５５ｙが位置するとともに、右側に領域５５ｘ、５５ｚが位置する状態において、フィルタ５５の中心５５ｃと基端５０ｋの中心５５ｋｃとが一致した位置においては、マスク５５ｗ及びマスク５５ｚにより、第１の供給領域５０ｆに光源部６９から供給される照明光と、第２の供給領域５０ｒに光源部６９から供給される照明光との光量の配分比率が、５０％：５０％となる。【０１１９】
尚、第１の供給領域５０ｆに供給される照明光の配分比率を増やしたい場合は、この位置からフィルタ５５を図１１中上側にスライド移動させ、減らしたい場合は、この位置からフィルタ５５を図１１中下側にスライド移動させれば良い。【０１２０】
このようなフィルタ５５の構成によっても、上述した図４に示したフィルタ５５と同様の効果を得ることができる。【０１２１】
（第２実施の形態）
図１２は、本実施の形態における内視鏡システムにおける内視鏡の挿入部の先端部の部分斜視図、図１３は、本実施の形態の内視鏡システムのモニタに第１の画像及び第２の画像が表示された状態を示す図である。【０１２２】
また、図１４は、図１のモニタに表示される第１の画像と第２の画像との大きさを変える構成、及び第１の照明用レンズと第２の照明用レンズとからそれぞれ供給される照明光における光量の差を、表示部に表示される第１の画像と第２の画像との大小関係に倣った関係に変える構成を、内視鏡、ビデオプロセッサ、光源装置、モニタとともに概略的に示す図である。【０１２３】
さらに、図１５は、図１４の比率設定部、画像処理部、電力調整部の作用をそれぞれ図にて示す図表である。【０１２４】
この第２実施の形態の内視鏡システムの構成は、上述した図１〜図８に示した第１実施の形態の内視鏡システムと比して、先端部内に、第１の観察用レンズと第２の観察用レンズとにより撮像部が別個に設けられているとともに、光源部及び照明光供給部が先端部に設けられた発光素子から構成されている点と、照明光量調整部（照明制御部）が、発光素子への電力の供給量を調整する電力調整部から構成されている点が異なる。【０１２５】
よって、この相違点のみを説明し、第１実施の形態と同様の構成には同じ符号を付し、その説明は省略する。【０１２６】
図１２に示すように、挿入部の先端部２０６の先端面２０６ｓに、長手方向Ｎに沿った先端面２０６ｓの前方つまり被検体の第１の領域から第１の被検体像を取得する第１の被検体像取得部である前方観察用レンズ２１２が露出されている。【０１２７】
尚、第１の被検体像は、先端面２０６ｓよりも前方を含む長手方向Ｎに位置する第１の被検体の被検体像である。よって、前方観察用レンズ２１２は、長手方向Ｎの前方の第１の被検体像を取得する前方被写体像取得部を構成している。【０１２８】
また、先端面２０６ｓに、被検体に照射される照明光を供給する光源部を構成するとともに、先端面２０６ｓよりも前方（被検体の第１の領域）に照明光を供給する照明光供給部である第１の発光素子２１５が２つ設けられている。尚、第１の発光素子２１５の個数は２つに限定されない。【０１２９】
さらに、先端部２０６の外周面２０６ｇに、長手方向Ｎ（第１の領域）とは少なくとも一部が異なる第２の方向つまり被検体の第２の領域である周囲方向Ｋから第２の被検体像をそれぞれ取得する第２の被検体像取得部である周囲観察用レンズ２１３、２１４が、挿入部の周方向Ｃに沿って、略均等な角度、例えば１８０°間隔で２つ設けられている。【０１３０】
尚、周囲観察用レンズは２つに限定されず、外周面２０６ｇに３つ以上、周方向Ｃの略均等な角度で設けられていても構わない。【０１３１】
また、第２の被検体像は、長手方向Ｎと略直交等、長手方向Nに対して交わる方向である径方向Ｋとなる周囲方向に位置する第２の被検体の被検体像である。よって、周囲観察用レンズ２１３、２１４は、周囲方向の第２の被検体像を取得する周囲方向被写体像取得部を構成している。【０１３２】
また、外周面２０６ｇにおいて、周囲観察用レンズ２１３の近傍に、被検体に照射される照明光を供給する光源部を構成するとともに、周囲方向Ｋ（被検体の第２の領域）に照明光を供給する照明光供給部である第２の発光素子２２４が２つ設けられている。尚、第２の発光素子２２４の個数は２つに限定されない。【０１３３】
さらに、外周面２０６ｇにおいて、周囲観察用レンズ２１４の近傍に、被検体に照射される照明光を供給する光源部を構成するとともに、周囲方向Ｋに照明光を供給する照明光供給部である第２の発光素子２２５が２つ設けられている。尚、第２の発光素子２２５の個数は２つに限定されない。【０１３４】
また、先端部６内において、前方観察用レンズ２１２の結像位置に、前方観察用レンズ２１２によって取得された第１の被検体を撮像するＣＣＤ等の第１の撮像部２４１が設けられている。【０１３５】
さらに、先端部６内において、周囲観察用レンズ２１３の結像位置に、周囲観察用レンズ２１３によって取得された第２の被検体を撮像するＣＣＤ等の第２の撮像部２４２が設けられている。また、周囲観察用レンズ２１４の結像位置に、周囲観察用レンズ２１４によって取得された第２の被検体を撮像するＣＣＤ等の第２の撮像部２４３が設けられている。【０１３６】
また、第１の撮像部２４１、第２の撮像部２４２、２４３は、画像生成部６０や画像処理部６４（図１４参照）に電気的に接続されている。【０１３７】
図１３に示すように、第１の撮像部２４１によって撮像された第１の被検体、第２の撮像部によって撮像された第２の被検体は、画像生成部６０によって第１の被検体像から第１の画像１８１を、第２の被検体像から第２の画像１８２ｌ、１８２ｒをそれぞれ生成される。【０１３８】
第１の画像１８１と第２の画像１８２ｌ、１８２ｒは、画像処理部６４によって画像処理され、後述する画像出力部６６（図１４参照）により表示画像信号が生成されモニタ３６に出力された後、第１の被検体像に基づく第１の画像１８１は、モニタ３６の中央に表示され、第２の被検体像に基づく第２の画像１８２ｌ、１８２ｒは、第１の画像１８１の隣り、具体的には、第１の画像１８１の両脇に、第１の画像１８１と別個に表示される。【０１３９】
尚、周囲観察用レンズが３つ以上設けられ、第２の撮像部が周囲観察用レンズに応じた個数設けられ、第２の被検体像が３つ以上撮像される場合、第２の画像は、モニタ３６において、第１の画像を囲むように、周方向Ｃに略均等な角度で複数配置されるよう表示される。【０１４０】
また、図１４に示すように、本実施の形態においては、ビデオプロセッサ３４内には、比率設定部６３と、画像処理部６４と、照明光量調整部（照明制御部）である電力調整部１６０と、画像出力部６６と、警告部６８とが設けられている。【０１４１】
本実施の形態においては、比率設定部６３は、キーボード３１等からの入力を受け、モニタ３６に表示される第１の画像１８１と第２の画像１８２ｌ、１８２ｒとの大きさの配分比率を設定する。【０１４２】
尚、比率設定部６３は、キーボード３１等からの入力を受け、第１の画像１８１がモニタ３６に表示される大きさの配分比率を、０％より大きく１００％以下に設定する。【０１４３】
また、比率設定部６３は、上述した第１実施の形態と同様に、記憶部６２内に記憶されたモードパターンα、β、γから選択されたパターンに応じて、モニタ３６に表示される第１の画像１８１と第２の画像１８２ｌ、１８２ｒとの大きさの配分比率を設定してもよい。【０１４４】
尚、以下、本実施の形態を説明するにあたり、キーボード３１等からの入力が、図１５に示すように、第１の画像（Ｃ）：第２の画像（Ｌ）：第２の画像（Ｒ）が、３０％：３５％：３５％の場合と、第１の画像（Ｃ）：第２の画像（Ｌ）：第２の画像（Ｒ）が、２０％：６０％：２０％の場合と、第１の画像（Ｃ）：第２の画像（Ｌ）：第２の画像（Ｒ）が、１００％：０％：０％の場合との３つの例を挙げて説明する。【０１４５】
また、例えば、操作者がＩＤカードを、内視鏡２またはビデオプロセッサ３４等の読み取り部に近接させることにより、記憶部６２に記憶されている操作者毎に設定された操作者好みの第１の画像１８１と、第２の画像１８２ｌと、第２の画像１８２ｒとの大きさの配分比率が記憶部６２から読み出され、比率設定部６３によって設定される構成であっても構わない。【０１４６】
画像生成部６０は、第１の撮像部２４１によって撮像された第１の被検体像から第１の画像信号（第１の画像）１８１を生成し、第２の撮像部２４２、２４３によって撮像された第２の被検体像から第２の画像信号（第２の画像）８２を生成するとともに、画像処理部６４は、図１５に示すように、比率設定部６３にて設定された配分比率に基づき、モニタ３６に表示される第１の画像１８１と第２の画像１８２ｌ、１８２ｒとの大きさを変更する、即ちそれぞれ拡大、縮小処理をする画像処理を行う。【０１４７】
具体的には、第１画像（Ｃ）：第２の画像（Ｌ）：第２の画像（Ｒ）が、３０％：３５％：３５％に設定されている場合は、画像処理部６４は、第１の画像１８１と第２の画像１８２ｌ、１８２ｒとがモニタ３６に３０％：３５％：３５％にて表示されるよう大きさを変更する画像処理を行う。【０１４８】
また、第１の画像（Ｃ）：第２の画像（Ｌ）：第２の画像（Ｒ）が、２０％：６０％：２０％に設定されている場合は、画像処理部６４は、第１の画像１８１と第２の画像１８２ｌ、１８２ｒとがモニタ３６に２０％：６０％：２０％にて表示されるよう大きさを変更する画像処理を行う。【０１４９】
さらに、第１の画像（Ｃ）：第２の画像（Ｌ）：第２の画像（Ｒ）が、１００％：０％：０％に設定されている場合は、画像処理部６４は、第１の画像１８１と第２の画像１８２ｌ、１８２ｒとがモニタ３６に１００％：０％：０％にて表示される（つまりモニタ３６には第１の画像のみ表示される）よう大きさを変更する画像処理を行う。【０１５０】
尚、画像処理部６４は、比率設定部６３により、仮にモニタ３６に第１の画像１８１が表示される大きさが０％と設定された場合は、警告部６８を駆動してモニタ３６に警告を表示する。【０１５１】
尚、警告は音であっても構わない。さらに、画像処理部６４は、この場合、モニタ３６に表示される第１の画像１８１の大きさを変更する画像処理を行わない。【０１５２】
画像出力部６６は、画像処理部６４により画像処理が行われた第１の画像信号と、第１の画像信号及び第２の画像信号とのいずれかから、モニタ３６に表示させる表示画像信号を生成し、モニタ３６に出力する。【０１５３】
尚、各画像の表示割合が変更された後は、画像出力部６６は、モニタ３６に即座に配分比率が変更された各画像が表示されるよう出力しても構わないし、徐々に切り替わるよう出力しても構わない。【０１５４】
また、操作者が、各被検体像の大きさの配分比率が即座に分かるように、配分比率を、モニタ３６に表示しても良い。【０１５５】
電力調整部１６０は、発光素子２１５、２２４、２２５に電気的に接続されており、モニタ３６に表示される第１の画像１８１と第２の画像１８２ｌ、１８２ｒとの大きさの大小関係つまり本実施形態では配分比率に応じて、各発光素子２１５、２２４、２２５から供給される照明光に対して、前方及び周囲方向Ｋに照射される照明光量の差を、表示部に表示される第１の画像１８１と第２の画像１８２ｌ、１８２ｒとの大小関係に倣った関係に設定する。本実施形態では、各発光素子２１５、２２４、２２５から供給される照明光に対して、前方及び周囲方向Ｋに照射される照明光の配分比率を変更する。【０１５６】
具体的には、電力調整部１６０は、各発光素子２１５、２２４、２２５が照明光を発光するための動作エネルギー量を調整する。【０１５７】
より具体的には、図１５に示すように、電力調整部１６０は、各発光素子２１５、２２４、２２５が照明光を発光するための各発光素子２１５、２２４、２２５への電流供給量を、モニタ３６に表示される第１の画像１８１と第２の画像１８２ｌ、１８２ｒとの大きさの配分比率に応じて、各発光素子２１５、２２４、２２５の最大発光量を基準として配分比率を調整する。【０１５８】
その結果、電力調整部１６０によって、配分比率が調整された電流量が、それぞれ各発光素子２１５、２２４、２２５へと供給されることにより、光量の配分比率が変更された照明光が、第１の発光素子２１５と、第１の発光素子２１５及び第２の発光素子２２４、２２５のいずれかから被検体内に照射される。【０１５９】
尚、各画像の表示割合が変更された後は、電力調整部１６０は、各発光素子２１５、２２４、２２５から照射される照明光の照射量（光量）の配分比率が即座に変更されるよう電流量を調整しても構わないし、徐々に配分比率が切り替わるよう電流量を調整しても構わない。【０１６０】
また、操作者が、照明光量の配分比率が即座に分かるように、照明光の配分比率を、モニタ３６に表示しても良い。【０１６１】
さらに、電力調整部１６０によって調整される動作エネルギー量は、電流量に限らず、電圧量等でも構わない。即ち、電力量を調整しても構わない。【０１６２】
このような構成によっても、モニタ３６に表示される第１の画像１８１と第２の画像１８２ｌ、１８２ｒとの大きさの配分比率に応じて、第１の発光素子２１５から前方に照射される照明光と、第２の発光素子２２４、２２５から周囲方向Ｋに照射される照明光との光量の配分比率が変更されることから、上述した第１実施の形態と同様の効果を得ることができる。【０１６３】
尚、以下、変形例を示す。【０１６４】
上述した、本実施の形態においては、モニタ３６に表示される第１の画像１８１と第２の画像１８２との大きさの配分比率に応じて、第１の発光素子２１５から前方に照射される照明光と、第２の発光素子２２４、２２５から周囲方向Ｋに照射される照明光との光量の配分比率が変更されると示した。【０１６５】
しかしながら、この構成では、前方及び周囲方向Ｋに照射される照明光の光量が足りない場合が考えられる。例えば、従来のように、前方及び周囲方向Ｋに、１００％：１００％にて照明光を供給することができない。【０１６６】
この場合、明るさを補うため、上述した第１実施の形態と同様に、画像処理部６４が、生成した第１の画像信号１８１及び第２の画像信号１８２ｌ、１８２ｒに対して、個々に明るさのゲイン調整を行っても構わないことは勿論である。【０１６７】
また、以下、別の変形例を、図１６を用いて示す。図１６は、図１４のキーボードをスライダ機構から構成した変形例を示す図である。【０１６８】
上述した本実施の形態においては、比率設定部６３は、キーボード３１からの入力を受け、モニタ３６に表示される第１の画像１８１と第２の画像１８２ｌ、１８２ｒとの大きさの配分比率を設定する。【０１６９】
これに限らず、比率設定部６３によって設定されるモニタ３６に表示される第１の画像１８１と第２の画像１８２ｌ、１８２ｒとの大きさの配分比率は、図１６に示すように、例えば、ビデオプロセッサ３４に設けられたスライダ８６とスライダ溝８７とを具備するスライダ機構８８と、スライダ９６とスライダ溝９７とを具備するスライダ機構９８とから構成されていても構わない。【０１７０】
このことによれば、操作者は、スライダ８６をスライダ溝８７に対してスライド移動させるのみにより、モニタ３６に表示される第１の画像１８１と第２の画像１８２ｌ、１８２ｒとの大きさの配分比率を任意に設定することができる。さらに、スライダ９６をスライダ溝９７に対してスライド移動させるのみにより、モニタ３６に表示される第２の画像１８２ｌと第２の画像１８２ｒとの大きさの配分比率を任意に設定することができる。【０１７１】
この際、比率設定部６３は、スライダ８６、９６の位置検出結果に応じて、モニタ３６に表示される第１の画像１８１と第２の画像１８２ｌ、１８２ｒとの大きさの配分比率を設定すれば良い。【０１７２】
また、以下、別の変形例を、図１７を用いて示す。図１７は、図１２の挿入部の先端部の先端面に設けられる第１の発光素子の個数、挿入部の先端部の外周面に設けられる第２の発光素子の個数を図１２よりも増やした変形例を示す先端部の部分斜視図である。【０１７３】
上述した本実施の形態においては、モニタ３６に表示される第１の画像１８１と第２の画像１８２ｌ、１８２ｒとの大きさの配分比率に応じて、第１の発光素子２１５から前方に照射される照明光と、第２の発光素子２２４、２２５から周囲方向Ｋに照射される照明光との光量の配分比率の変更を、電力調整部１６０から各発光素子２１５、２２４、２２５へ供給される電流供給量を調整することにより行うと示した。【０１７４】
これに限らず、図１７に示すように、第１の発光素子２１５、第２の発光素子２２４、２２５の個数をそれぞれ図１２よりも増やし、各発光素子２１５、２２４、２２５内において発光させる個数を異ならせることにより、第１の発光素子２１５から前方に照射される照明光と、第２の発光素子２２４、２２５から周囲方向Ｋに照射される照明光との光量の配分比率の変更を行っても良い。【０１７５】
また、第１の発光素子２１５から前方に照射される照明光と、第２の発光素子２２４、２２５から周囲方向Ｋに照射される照明光との光量の配分比率の変更は、各発光素子２１５、２２４、２２５の発光パルス量を調整することにより行っても構わない。【０１７６】
図１９は、図１３のモニタに表示される第１の画像の一部に対し、第２の画像の一部を重ねて表示する変形例を示す図、図２０は、複数のモニタにそれぞれ１つずつ画像を表示させる変形例を示す図である。【０１７７】
また、上述した第１、第２実施の形態においては、１つのモニタに、複数の画像を表示する場合を例に挙げて示したが、これに限らず、特に第２の実施形態において、図２０に示すように複数のモニタに、それぞれ１つずつ画像を表示させても良いことは云うまでもない。【０１７８】
また、特に第２の実施形態において、比率設定部６３による第１の画像１８１と第２の画像１８２ｌ、１８２ｒとの大きさの配分比率の設定においては、第１の画像と第２の画像１８２ｌ、１８２ｒとの大きさの合計を例えば１００％としたときの配分比率を例とした。【０１７９】
これに限らず、モニタ３６において、第２の画像１８２ｌ、１８２ｒは、第１の画像１８１とは別個に表示されることから、この配分比率に限定せず、第１の画像１８１と第２の画像１８２ｌ、１８２ｒとを合わせて１００％にする必要は無い。【０１８０】
即ち、図１９に記載のように、注目する画像、例えば第１の画像を６０％の大きさで表示させたとき、２つの第２の画像をそれぞれ３０％の大きさで表示させ、第１の画像と第２の画像との大きさの合計が例えば１００％に収まらない場合であっても、注目する画像ではない２つの第２の画像に対して、注目する画像である第１の画像をレイヤ（層）状に重ねて、モニタにおいて注目する画像を前側に表示させる等の工夫を行ってもよい。【０１８１】
また、上記のようにレイヤ（層）状に画像を重ねて表示すれば、モニタ３６に第１の画像１８１と、第２の画像１８２ｌと、第２の画像１８２ｒとの大きさの配分比率が、１００％：１００％：１００％となるよう表示されても構わない。【０１８２】
つまり、合わせて３００％以内であれば、操作者は、キーボード３１等からの入力により、各画像の表示割合を個別に自由に設定できる。【０１８３】
更に、第１の領域（長手方向N）と第２の領域（径方向Ｋ）にそれぞれ照射する照明光量の合計が所定量（例えば１００％）以下に設定されていれば、照明制御部は、第１の照明光と第２の照明光における光量の差を、表示部に表示される第１の画像と第２の画像との大小関係に倣った関係に設定すればよい。【０１８４】
例えば、図１９に記載のように、照明制御部は、照明光量の配分の合計が１００％に達しなくても、注目する領域、例えば第１の領域に対して最も多い光量（例えば５５％）を配分し、注目する領域でない領域、例えば第２の領域に対する光量の配分を少なく（例えばそれぞれ２０％）する設定を行ってもよい。【０１８５】
尚、以下、変形例を、図１８を用いて示す。図１８は、内視鏡の挿入部に画像取得ユニットが着脱自在な変形例を概略的に示す斜視図である。【０１８６】
尚、図１８に示すように、前方の第１の被検体像を取得する通常の内視鏡６００に対して、左右側方の第２の被検体像を取得する第２の被検体像取得部５０１と、左右側方をそれぞれ照明する第２の照明光供給部５０２とを備える着脱自在な画像取得ユニット５００を具備するものにも、上述した実施の形態は適用可能である。【０１８７】
本出願は、２０１４年５月１６日に日本国に出願された特願２０１４−１０２６２４号を優先権主張の基礎として出願するものであり、上記の内容は、本願明細書、請求の範囲、図面に引用されたものである。
【図１】
0005959768.tif 000002
【図２】
0005959768.tif 000003
【図３】
0005959768.tif 000004
【図４】
0005959768.tif 000005
【図５】
0005959768.tif 000006
【図６】
0005959768.tif 000007
【図７】
0005959768.tif 000008
【図８】
0005959768.tif 000009
【図９】
0005959768.tif 000010
【図１０】
0005959768.tif 000011
【図１１】
0005959768.tif 000012
【図１２】
0005959768.tif 000013
【図１３】
0005959768.tif 000014
【図１４】
0005959768.tif 000015
【図１５】
0005959768.tif 000016
【図１６】
0005959768.tif 000017
【図１７】
0005959768.tif 000018
【図１８】
0005959768.tif 000019
【図１９】
0005959768.tif 000020
【図２０】
0005959768.tif 000021